(57)【要約】      （修正有）【課題】生産工程の鋸刃装着時において、ストッパーに開封片の端が衝突してもその衝撃が緩和され、開封片がつなぎ部の配置位置に沿って折れ曲がるトラブルの発生を回避することが可能であり、かつラップフィルム収納箱を開封する際、どちらの方向からも開封片が途中でちぎれることなくスムーズに、また掩蓋片の層間剥離を発生させずに剥すことが可能である開封片を具えたラップフィルム収納箱を提供すること。【解決手段】開封片８のつなぎ目形状として、左右対称型の切れ目の間に傾斜した切れ目を設けた切り取り線形状を採用する。【選択図】図２
2008174284.tif 000002
【特許請求の範囲】
【請求項１】
前板１、底板２、後板３、及び脇板４の各面で形成される上部が開口した収納室１１と、その収納室１１の後板３の上端縁から開閉可能で収納室１１を覆う方向に連接した蓋板５と、その蓋板５の前端縁から前板１を覆う方向に延出した掩蓋片６と、上記掩蓋片６先端に切り取り線７を介して延出した開封片８と、上記開封片８を剥すことによって露出する掩蓋片６の先端に設けられたラップフィルムを切断するための鋸刃と、掩蓋片脇板９の各面で形成される蓋体１２からなるラップフィルム収納箱であって、切り取り線７はラップフィルム収納箱の長手方向に対して水平な切れ目およびその両端が蓋板５方向に傾斜した切れ目からなる主切れ目１３と、主切れ目１３の両端に接して設けられた主切れ目の端部とは傾斜の向きが逆である補助切れ目１４とから構成される切れ目と、その切れ目の間に設けた傾斜した補助切れ目１５とを有し、上記傾斜した補助切れ目１５は傾斜の向きが交互に逆になるよう配置されていることを特徴とするラップフィルム収納箱。
【請求項２】
前板１、底板２、後板３、及び脇板４の各面で形成される上部が開口した収納室１１と、その収納室１１の後板３の上端縁から開閉可能で収納室１１を覆う方向に連接した蓋板  ５と、その蓋板５の前端縁から前板１を覆う方向に延出した掩蓋片６と、上記掩蓋片６先端に切り取り線７を介して延出した開封片８と、上記開封片８を剥すことによって露出する掩蓋片６の先端に設けられたラップフィルムを切断するための鋸刃と、掩蓋片脇板９の各面で形成される蓋体１２からなるラップフィルム収納箱であって、
切り取り線７はラップフィルム収納箱の長手方向に対して水平な切れ目およびその両端が蓋板５方向に傾斜した切れ目からなる主切れ目１３と、主切れ目１３の両端に接して設けられ主切れ目の端部とは傾斜の向きが逆である補助切れ目１４とから構成される切れ目と、その切れ目の間に設けた傾斜した補助切れ目１５とを有し、上記傾斜した補助切れ目１５は、上記ラップフィルム収納箱の開封片を正面から見て向かって左端の傾斜した補助切れ目１５から順に第１、第２、・・・、第ｎ−１、第ｎと番号をつけた場合、第１、第２の傾斜した補助切れ目１５においては左上がり、第３〜第ｎ−２の傾斜した補助切れ目１５においては傾斜の向きが交互になるように位置し、第ｎ−１、第ｎの傾斜した補助切れ目１５においては右上がりに傾斜していることを特徴とするラップフィルム収納箱。
【発明の詳細な説明】
【技術分野】
【０００１】
本発明は、特に食品包装用のラップフィルム、アルミホイル、クッキングシート等（以下、ラップフィルムと称す）を巻回したラップフィルム収納箱の開封片に関する。
【背景技術】
【０００２】
ラップフィルムは、通常、紙製の芯体に巻回された巻筒体が、紙製の直方体の箱に収納されており、糊材等でラップフィルム収納箱の前板部分に接着されている開封片８を剥すことで、ラップフィルムの使用に先立ち蓋の開閉が可能になる。ラップフィルムの切断手段としては金属、紙、樹脂製の鋸刃が知られており、上記鋸刃は掩蓋片６の先端部に配置されるのが一般的であるが、底板２の前板１側縁部、前板１の上縁に配置される場合もある。
従来のラップフィルム収納箱に設けられている開封片は、大部分が図４に示した横J型の切り取り線からなり、一方の方向（図４においては右側から左側へ）からのみ開封できる形状となっている。これを他方（図４においては左側から右側へ）から開封片を剥そうとすると、開封片がきれいに剥がれず、剥している途中で開封片がちぎれるといった問題が発生する。これらの開封片には、開封片を剥す方向が矢印等で表示されているものの、ラップフィルム使用者の利き手によっては非常に開封しにくく、開封片に対して左右どちらの方向からも開封片をスムーズに剥せることが望ましい。
【０００３】
これに対して、どちらの方向からも剥すことが可能である開封片を備えたラップフィルム収納紙箱として切取り線に図３に示した切れ目を採用し、開封片を剥す際の引き裂きが必ず次の切れ目の屈曲した左端部または右端部に捕まって、断続的な切れ目線を次々に確実に左方又は右方から引き裂いて切断することができると開示されている（特許文献１）。しかしながら、開示されている切れ目形状では引き裂きが必ず次の切れ目に捕まるとは言い難く、開封方向、すなわち開封片の引っ張り方向がやや掩蓋片寄りになった場合、掩蓋片の板紙に層間剥離が発生し、外観が悪化する場合がある。また、開封方向がやや底板寄りになった場合、開封片が開封動作の途中でちぎれてしまう場合がある。しかしながら、このようなトラブルは切れ目間の距離を短くする、すなわち掩蓋片と開封片のつなぎ部の長さを短くすることで回避できると推測される。
【０００４】
一方で、一般的なラップフィルム収納箱は、適度な厚みを持つコートボール紙を木型により図１のような展開状態（カートンブランク）に打ち抜き、その後鋸刃を装着する工程を経る。ラップフィルム収納箱で用いられている鋸刃の多くは金属製であり、金型で適度な厚みの金属板を鋸刃形状に打ち抜くと同時に、カシメによって図１の状態に形成されたカートンブランクに装着される。この工程において、鋸刃を所定の位置に装着させるため、生産ラインを流れてきたカートンブランクを鋸刃装着工程のところで一旦ストッパーに開封片の端８’を衝突させることで、強制的に停止させる方法が主流である。
【０００５】
図１に示したカートンブランクの切り取り線７に特許文献１で開示された切れ目を付与した場合、隣合う切れ目の端部を結ぶ仮想線がカートンブランクの長手方向と水平であるため、つなぎ部の長さにも影響されるが、鋸刃装着工程のストッパーに開封片の端８’が衝突した際に各切れ目間のつなぎ部の配置位置に沿って開封片８が折れ曲がりが発生する可能性があるため、鋸刃の装着位置がずれて鋸刃の刃先の突出不足が発生したり、鋸刃が斜めに装着されたりする可能性がある。さらに、開封性に優れたどちらの方向からも開封可能な開封片を実現するために、前述のように切れ目間の距離、すなわちつなぎ部の長さを短くした場合は、つなぎ部の強度が弱くなるためストッパーに開封片の端８’が衝突した際に、つなぎ部においてちぎれが発生する可能性がある。
【０００６】
紙製や樹脂製の鋸刃を装着させる場合は、生産ラインにおいて図１の状態に打ち抜いたカートンブランク紙を長手方向に移動させる方法が主流であるため、鋸刃装着工程のストッパーに開封片の端８’が衝突し、開封片８が折れ曲がる問題はないが、カートンブランク紙の移し変えや目視チェック等のハンドリング時に開封片８の折れ曲がりが発生する可能性がある。
【０００７】
これに対し、一方向からのみ開封が可能な従来から採用されている切れ目（図４）の場合、カートンブランクの長手方向に対して水平な切れ目の片方端に蓋板方向に傾斜した切れ目が設けてあり、他方端に長手方向に垂直な切れ目が設けてあるので、鋸刃装着工程のストッパーに開封片の端８’が衝突した際、開封片の端８’が衝撃を受ける方向、すなわち長手方向に水平な方向に対し、上記水平な切れ目の端部に設けられた各切れ目の方向が平行でないため、特許文献１で開示されている切れ目の形状に比較して開封片８が折れ曲がり難い。この切れ目の形状であれば鋸刃装着時における開封片８の折れ曲がりが回避可能であり、カートンブランク紙のハンドリングにも優れているが、前述したように、開封片８の開封方向は一方向からのみに限定される。
【特許文献１】特開２００３−２９１９６０号公報
【発明の開示】
【発明が解決しようとする課題】
【０００８】
そこで、本発明の目的は、開封片の切れ目形状を工夫することにより、生産性やハンドリングに優れ、かつどちらの方向からもスムーズに、掩蓋片の層間剥離や開封片の途中ちぎれを発生させずに開封片を剥すことが可能である開封片を具えたラップフィルム収納箱を提供することにある。
【課題を解決するための手段】
【０００９】
本発明者らは、上記課題を解決するため、開封片の切れ目形状を主切れ目１３と補助切れ目１４からなる切れ目の間に傾斜した補助切れ目１５を設けた設計にすることで、開封片部分の折れ曲がりトラブルが発生することなく生産でき、かつどちらの方向からも開封可能であることを見出し、本発明を完成させるに至った。
【００１０】
すなわち、本発明は下記の通りである。
（１）前板１、底板２、後板３、及び脇板４の各面で形成される上部が開口した収納室１１と、その収納室１１の後板３の上端縁から開閉可能で収納室１１を覆う方向に連接した蓋板５と、その蓋板５の前端縁から前板１を覆う方向に延出した掩蓋片６と、上記掩蓋片６先端に切り取り線７を介して延出した開封片８と、上記開封片８を剥すことによって露出する掩蓋片６の先端に設けられたラップフィルムを切断するための鋸刃と、掩蓋片脇板９の各面で形成される蓋体１２からなるラップフィルム収納箱であって、切り取り線７はラップフィルム収納箱の長手方向に対して水平な切れ目およびその両端が蓋板５方向に傾斜した切れ目からなる主切れ目１３と、主切れ目１３の両端に接して設けられた主切れ目の端部とは傾斜の向きが逆である補助切れ目１４とから構成される切れ目と、その切れ目の間に設けた傾斜した補助切れ目１５とを有し、上記傾斜した補助切れ目１５は傾斜の向きが交互に逆になるよう配置されていることを特徴とするラップフィルム収納箱。
【００１１】
（２）前板１、底板２、後板３、及び脇板４の各面で形成される上部が開口した収納室１１と、その収納室１１の後板３の上端縁から開閉可能で収納室１１を覆う方向に連接した蓋板  ５と、その蓋板５の前端縁から前板１を覆う方向に延出した掩蓋片６と、上記掩蓋片６先端に切り取り線７を介して延出した開封片８と、上記開封片８を剥すことによって露出する掩蓋片６の先端に設けられたラップフィルムを切断するための鋸刃と、掩蓋片脇板９の各面で形成される蓋体１２からなるラップフィルム収納箱であって、
切り取り線７はラップフィルム収納箱の長手方向に対して水平な切れ目およびその両端が蓋板５方向に傾斜した切れ目からなる主切れ目１３と、主切れ目１３の両端に接して設けられ主切れ目の端部とは傾斜の向きが逆である補助切れ目１４とから構成される切れ目と、その切れ目の間に設けた傾斜した補助切れ目１５とを有し、上記傾斜した補助切れ目１５は、上記ラップフィルム収納箱の開封片を正面から見て向かって左端の傾斜した補助切れ目１５から順に第１、第２、・・・、第ｎ−１、第ｎと番号をつけた場合、第１、第２の傾斜した補助切れ目１５においては左上がり、第３〜第ｎ−２の傾斜した補助切れ目１５においては傾斜の向きが交互になるように位置し、第ｎ−１、第ｎの傾斜した補助切れ目１５においては右上がりに傾斜していることを特徴とするラップフィルム収納箱。
【発明の効果】
【００１２】
本発明のラップフィルム収納箱は、開封用の切れ目を主切れ目１３と補助切れ目１４からなる切れ目の間に傾斜した補助切れ目１５を設けた形状（図２）にすることで、鋸刃装着工程においてストッパーに開封片の端８’が衝突しても、その衝撃で開封片が各切れ目間のつなぎ部の配置位置に沿って折れ曲がるのを回避することが可能である上、各種ハンドリングでも不用意に開封片が折れ曲がることはなく、どちらの方向からもスムーズに開封片を剥すことが可能である。
【発明を実施するための最良の形態】
【００１３】
本発明について、好ましい実施態様を中心に説明する。
図２は、本発明のラップフィルム収納箱の開封片の切れ目形状を示している。切れ目形状は、基本的に主切れ目１３と補助切れ目１４から成る左右対称形状を有しており、この左右対称形状の間に傾斜した補助切れ目１５を設ける。従って、掩蓋片６と開封片８を繋ぐつなぎ部１６は傾斜した補助切れ目１５が１箇所につきの両端に２箇所設けられることになる。
【００１４】
本発明のラップフィルム収納箱に採用する切取り線７は上記した３種の切れ目から構成されるが、その役割は次の通りである。すなわち、主切れ目１３は掩蓋片６と開封片８との分離を容易にさせるため、長手方向に長い切れ目を有している。主切れ目１３の両端に接して設けられた主切れ目の端部とは傾斜の向きが逆である補助切れ目１４と傾斜した補助切れ目１５は開封の自由度とつなぎ部１６の強度を付与するために配置させている。つまり、図３に示した切取り線の場合、開封時のつなぎ部の破れは基本的に収納箱の長手方向と平行な方向しか許容されず（図面の下方向は若干許容される）、各切れ目の端部を結ぶ仮想線Ｔも収納箱の長手方向と平行なので、つなぎ部の長さの取り方にもよるが、開封片部分（特に先端部）に衝撃を受けるとつなぎ部の部分を起点に折れ曲がりが発生する可能性がある。一方、図４に示した切り取り線の場合、開封の方向は図を正面に見て右側から左側の方向に限定されるが、つなぎ部の破れは、傾斜した切れ目の先端部から縦方向への切れ目のどこかに達すればよいので、開封開始側が限定される問題はあるが、開封の自由度は大きい。加えて、各切れ目の先端部を結ぶ仮想線Ｕを複数作成できるが、何れの場合でもつなぎ部を通る仮想線が収納箱の長手方向と平行にはならないので、開封片部分に衝撃を受けてもつなぎ部の部分を起点にした折れ曲がりが発生し難い。
【００１５】
従って、本発明のラップフィルム収納箱においては、補助切れ目１４は開封の自由度（開封時の上下方向の自由度）を高めつつ、左右どちらの方向からでも開封可能とするために主切れ目１３の両端にその端部とは傾斜の向きが逆になるように配置している。また、傾斜した補助切れ目１５と隣合う補助切れ目１４の間に存在する２つのつなぎ部１６の仮想線は、互に傾斜が逆向きとなるので、開封片部分に衝撃を受けてもつなぎ部の部分を起点にした折れ曲がりが発生し難くなっている。
【００１６】
本発明のラップフィルム収納箱の開封片８は上記各切れ目からなる切り取り線７に沿って引き剥がされるが、傾斜した補助切れ目１５の両側に形成されるつなぎ部の数が少ないと、鋸刃装着工程において開封片の端８’がストッパーに衝突した際、開封片が上記つなぎ部の配置位置に沿って折れ曲がる可能性が高まる。一方で、配置するつなぎ部の数が多いと、開封時にちぎらなければならない箇所が多くなり、開封のスムーズさが損なわれる。これらを考慮し、長手方向の長さが約３００ｍｍのラップフィルム収納箱に対しては、つなぎ部を１６〜２４箇所（すなわち、傾斜した補助切れ目１５を８〜１２箇所）設けることが望ましい。さらに、つなぎ部１６の長さに関しては、この長さが短すぎると、つなぎ部１６の強度が著しく低下するため、鋸刃装着肯定のストッパーに衝突した際に開封片がつなぎ部の配置位置に沿って折れ曲がりやすい上、僅かな衝撃でちぎれてしまうことが懸念される。一方でこの長さが長いほどつなぎ部がちぎれにくい、すなわち開封片を剥しにくくなる。従って、つなぎ部１６の長さは１．０〜１．５ｍｍが望ましく、１．１〜１．３ｍｍとすることがさらに望ましい。また、つなぎ部１６の長さは全てのつなぎ目において統一した長さとする必要はなく、つなぎ部を配置させる位置によって長さが異なっていてもかまわない。
【００１７】
本発明のラップフィルム収納箱に採用する主切れ目１３の両端部および補助切れ目１４のそれぞれの傾斜角度に関しては、開封片を剥す際の操作のスムーズさを考慮し、主切れ目１３両端部の傾斜角度θ１は１０〜６０°、補助切れ目１４の傾斜角度θ２は３０〜７０°とするのが望ましい。尚、主切れ目１３の全長については、収納箱の長さや必要とするつなぎ目の個数、内容物の重量等を考慮して適宜選択すればよいが、概ね１０〜３５ｍｍの範囲から選択することが望ましい。補助切れ目１４の全長についても収納箱や開封片の幅等を考慮して適宜選択すればよいが、概ね３〜５ｍｍの範囲から選択することが望ましい。
【００１８】
本発明のラップフィルム収納箱に採用する傾斜した補助切れ目１５は鋸刃装着工程やハンドリング時の開封片の折れ曲がりを防止するために、ラップフィルム収納箱の長手方向に対して傾斜させる必要がある。その傾斜角度が小さいと傾斜した補助切れ目１５が水平である場合との差異が殆どなくなり、ストッパーに衝突した際の耐衝撃性が失われる。反対に傾斜角度を大きくすると、補助切れ目１４から傾斜した補助切れ目１５への開封操作の不連続性が高まる上に、補助切れ目１４の端部と傾斜した補助切れ目１５の端部を直線的に結ぶ距離が長くなり、つなぎ部１６がちぎれにくくなる、すなわち開封片をスムーズに剥せない。従って、傾斜した補助切れ目１５の傾斜角度θ３は５〜３０°とすることが望ましい。また、その傾斜の向きは、開封片のスムーズな開封性を実現させるため、開封片８を正面から見て、向かって左端の傾斜した補助切れ目１５から順に第１、第２、・・・、第ｎ−１、第ｎと番号をつけた場合、傾斜した補助切れ目１５の傾斜の向きが交互に逆になるよう配置させることが望ましい。
【００１９】
さらに、開封の最終端側の傾斜した補助切れ目１５が底板３方向に傾斜している場合は（例えば第１番方向から開封を開始し、第ｎ番が右下がりの傾斜となる場合）、開封最終端側のつなぎ部から小さな帯状、又はひも状の紙片残りが発生して概観を悪化させる場合が稀に発生するので、第１、第２の傾斜した補助切れ目１５においては左上がり、第３〜第ｎ−２の傾斜した補助切れ目１５においては傾斜の向きが交互になるように配置し、第ｎ−１、第ｎの傾斜した補助切れ目１５においては右上がりとすることが更に望ましい。さらに、傾斜した補助切れ目１５の長さに関しては、上述したつなぎ部の個数を考慮し、２〜８ｍｍが望ましい。また、傾斜した補助切れ目１５の位置に関しては、傾斜した補助切れ目１５を極端に蓋板５寄りに設けると、主切れ目１３の位置と離れるため、開封片を剥す際に不連続性が高まりスムーズに開封片を剥せない可能性がある上、開封片を剥した後に現れる鋸刃の露出部分が大きくなり、外観が損なわれるという問題がある。
【００２０】
一方、傾斜した補助切れ目１５を主切れ目１３の水平部分よりも下方（開封片の端８’寄り）に設けると、開封片を剥した後にその部分の鋸刃が露出せず、ラップフィルムのカット性を阻害するという問題がある。従って、傾斜した補助切れ目１５の位置は、補助切れ目１４の蓋板５側端を結ぶ仮想線Ｐと、主切れ目１３の水平部分を延長した仮想線Ｑで定められる範囲内に設けることが望ましい。
【００２１】
本発明のラップフィルム収納箱において、使用開始前まで開封片８は前記収納箱の前板１に糊材等で接着されているが、この接着方法は開封片と重なる前板部分に糊材と強く接着させるための円形状や楕円形状等のニス非塗布部分Ｓを複数箇所設け、開封後に開封片の裏面側表層が前板上のニス非塗布部分周辺に残る方法（点付け法）、左記ニス非塗布部分周囲に剥離用の半切れを付与し、開封後に半切れ付与部が剥離する方法（玉抜け法）、又はニス非塗布部と重なる開封片にニス非塗布部と相似拡大形状のミシン目等で囲まれた刳り貫き部１０を付与し、開封後にそのミシン目等で囲まれた部分がそのまま前板上に残る方法（刳り抜き法）など、公知の方法を採用すれば良いが、どちらの方向からも開封可能とするため、左右対称形状を採用することが望ましい。
【００２２】
本発明のラップフィルム収納箱に採用される材質としては、コートボール紙、各種ダンボール、プラスチックス等特に制限はないが、生産性とコストの面から厚さ０．３５ｍｍ〜１．０ｍｍのコートボール紙を採用することが望ましい。また、この収納箱に収納される巻筒体は、各種樹脂製のラップフィルム、アルミホイル、クッキングペーパー等特に制限はないが、ポリ塩化ビニル、ポリ塩化ビニリデン、ポリエチレン等のラップフィルムが特に好ましい。
本発明のラップフィルム収納箱の前板１部分に公知の巻き戻り防止手段Ａを設けること、収納室１１の側面に公知の巻筒体の飛び出し防止手段Ｂを設けることは全くの自由である。
【実施例】
【００２３】
以下、本発明を実施例に基づいて説明する。
【００２４】
[実施例１]
図１に示したラップフィルム収納箱の展開図において、主切れ目１３の全長が２６ｍｍ（両端の傾斜部は各々２ｍｍ）でθ１が３０°、補助切れ目１４の全長が４ｍｍでθ２が４５°、傾斜した補助切れ目１５の収納箱の長手方向に水平な全長が３ｍｍでθ３が９°であり、その中間点が隣合う補助切れ目１４下端との仮想線上に位置しており、つなぎ部の長さが１．２ｍｍとした切取り線７を付与し（掩蓋片の長手方向は３１４ｍｍでつなぎ部は全部で２０箇所）、開封片８には０．５ｍｍのつなぎ目（ニック）を４箇所付与した長手方向１０ｍｍ、縦方向５．５ｍｍの俵型切れ目からなる刳り抜き部を前板１に設けたニス非塗布部Ｓと対応する位置に４箇所配置させた。尚、ここで開封片８を正面から見て向かって左端の傾斜した補助切れ目１５から順に第１、第２、・・・、第９、第１０と番号をつけた場合に、第１の傾斜した補助切れ目１５を左上がりの傾斜、第２の傾斜した補助切れ目１５を右上がりの傾斜、第３の傾斜した補助切れ目１５を左上がりの傾斜、・・・、第１０の傾斜した補助切れ目１５を右上がりの傾斜、というように傾斜の向きが交互になるように配置させた。
このカートンブランクには坪量約４５０ｇ／ｍ２（厚み約０．５６ｍｍ）のコートボール紙を採用し、その長手方向各面を折り曲げて開封片８を前板１上に糊材（日本エヌエスシー社製インスタントロック）で貼り付け、その後側面部も糊材で貼り付けて直方体状のラップフィルム収納箱を組み立てた。
【００２５】
[実施例２]
第１の傾斜した補助切れ目１５を右上がりの傾斜、第２の傾斜した補助切れ目１５を左上がりの傾斜、第３の傾斜した補助切れ目１５を右上がりの傾斜・・・、第１０の傾斜した補助切れ目１５を左上がりの傾斜、というように傾斜の向きが交互になるように配置させ、傾斜角度θ３を１５°に変更した以外は実施例１と同様なラップフィルム収納箱を組み立てた。
【００２６】
[実施例３]
第１の傾斜した補助切れ目１５を左上がりの傾斜、第１０の傾斜した補助切れ目１５を右上がりの傾斜に変更した以外は実施例２と同様なラップフィルム収納箱を組み立てた。
【００２７】
[比較例１]
全ての傾斜した補助切れ目１５の傾斜角度θ３を０°（長手方向と水平）に変更した以外は実施例１と同様なラップフィルム収納箱を組み立てた。
【００２８】
[比較例２]
全ての傾斜した補助切れ目１５の傾斜角度θ３を０°、主切れ目１３の全長を２６．８ｍｍ、つなぎ部１６の長さを０．８ｍｍに変更した以外は実施例１と同様なラップフィルム収納箱を組み立てた。
【００２９】
[比較例３]
全ての傾斜した補助切れ目１５の傾斜角度θ３を０°、主切れ目１３の全長を２４．４ｍｍ、つなぎ部１６の長さを２．０ｍｍに変更した以外は実施例１と同様なラップフィルム収納箱を組み立てた。
【００３０】
[比較例４]
補助切れ目１４を削除した以外は実施例１と同様なラップフィルム収納箱を組み立てた。
【００３１】
[比較例５]
切取り線に図３で示す切れ目形状を採用した。切れ目の全長は１７ｍｍで、隣合う切れ目間のつなぎ部長さは１．５ｍｍとした。その他の形状（設計）は図１の設計に準じたラップフィルム用収納箱を組み立てた。
【００３２】
[評価方法]
各実施例と比較例で示したカートンブランクに金属製の鋸刃を装着する工程において、開封片の端８’が工程内でストッパーに衝突した時、開封片８に曲がりやつなぎ目ちぎれが発生する頻度が１０００枚中５枚未満である場合を合格として「○」の評価、５枚以上発生する場合は「×」の評価とした。
次に、各実施例と比較例で示したカートンブランクを直方体状の収納箱に組み立て、左右方向から各々５０回ずつ、前板に対して開封片がほぼ垂直を保つような動作で開封し、開封片の途中ちぎれや掩蓋片の層間剥離が全く発生しないものを「○」の評価、１回でも左記が発生したものを「×」の評価とし、その結果を表１に示した。
【００３３】
【表１】
2008174284.tif 000003
【００３４】
実施例１〜３のラップフィルム収納箱では、鋸刃装着時の折れ曲がりや開封片の途中ちぎれが全く発生せず、生産性や使い勝手性に全く影響のないものであった。これに対し、比較例１では傾斜した補助切れ目１５が傾斜していないので、鋸刃装着時に開封片の折れ曲がりが発生し易く、つなぎ部の長さが短い比較例２では鋸刃装着時につなぎ部のちぎれも多く発生した。比較例３ではつなぎ部の長さを長くしたので、鋸刃装着時のトラブルは解消できたが、開封片と掩蓋片の繋ぎが強固であるため、開封時に開封片のちぎれが発生した。比較例４の設計では傾斜した補助切れ目１５が存在するので、鋸刃装着時のトラブルは発生しなかったが、補助切れ目１４が存在せず、開封方向の自由度が小さくなったので、開封片の途中ちぎれが発生した。比較例５の設計では、つなぎ部の強度は弱く、開封方向の自由度も小さいので、鋸刃装着時の折れ曲がりや開封片の途中ちぎれの両方が発生した。
【００３５】
尚、評価結果には表していないが、実施例２のように開封片８を正面に見て左端の傾斜した補助切れ目１５が右上がりで、右端が左上がりの場合、開封終了側の端部つなぎ目に帯状又はひも状の紙片が残る場合がある。この紙片はラップのカット等の使い勝手性に何ら影響を及ぼさないが、見た目の問題もあるので、傾斜した補助切れ目１５の傾斜は実施例１や３のように、左端側では左上がり１個又は２個、右端側では右上がりが１個又は２個設置することがさらに望ましい。
【産業上の利用可能性】
【００３６】
本発明の食品包装用のラップフィルム、アルミホイル、クッキングシート等（以下、ラップフィルムと称す）を巻回したラップフィルム収納箱の開封片に関するものである。
【図面の簡単な説明】
【００３７】
【図１】本発明のラップフィルム収納箱の展開図である。
【図２】本発明の開封用切り取り線の一部の拡大図である。
【図３】従来の開封用切り取り線の拡大図である。
【図４】従来の開封用切り取り線の別の例の拡大図である。
【符号の説明】
【００３８】
１：前板
２：底板
３：後板
４：脇板
５：蓋板
６：掩蓋片
７：切り込み線
８：開封片
８’：開封片の端
９：掩蓋片脇板
１０：刳り貫き部
１１：収納室
１２：蓋体
１３：主切れ目
１４：補助切れ目
１５：傾斜した補助切れ目
１６：つなぎ部
Ａ  ：巻戻り防止手段
Ｂ  ：飛び出し防止手段
Ｓ  ：ニス非塗布部分
Ｐ  ：補助切れ目１４の蓋板５側端を結ぶ仮想線
Ｑ  ：主切れ目１３の水平部分を延長した仮想線
Ｔ  ：従来の切れ目間の両端を結ぶ仮想線
Ｕ  ：別の従来の切れ目間の両端を結ぶ仮想線
θ１：主切れ目１３両端部の傾斜角度
θ２：補助切れ目１４の傾斜角度
θ３：傾斜した補助切れ目１５の傾斜角度
【図１】
2008174284.tif 000004
【図２】
2008174284.tif 000005
【図３】
2008174284.tif 000006
【図４】
2008174284.tif 000007